(57)【要約】【課題】下部カールガイド上に紛れ込んだワイヤ小片等の異物を簡単確実に排出する。【解決手段】ワイヤリールから送られてきた結束用ワイヤに巻き癖を付けて下方に送り出すカールガイドと、上記ワイヤを受けて再び上方のカールガイドに案内する下部カールガイド１０とを結束機本体の前端から突出して配置するとともに、上記下部カールガイド１０の基部は、結束機本体の下部に形成された開口部１４に支軸１５を介して下方に回動可能に設けられた鉄筋結束機において、上記下部カールガイド１０と上記開口部１４の上面との間に、常に上記下部カールガイド１０の基部と上記開口部１４の上面部１６との間の隙間を塞ぐカバー部２７を形成した。【選択図】図３
2010265581.tif 000002
【特許請求の範囲】
【請求項１】
ワイヤリールから送られてきた結束用ワイヤに巻き癖を付けて下方に送り出すカールガイドと、上記ワイヤを受けて再び上方のカールガイドに案内する下部カールガイドとを結束機本体の前端から突出して配置するとともに、上記下部カールガイドの基部は、結束機本体の下部に形成された開口部に支軸を介して下方に回動可能に設けられた鉄筋結束機において、
上記下部カールガイドと上記開口部の上面との間に、常に上記下部カールガイドの基部と上記開口部の上面部との間の隙間を塞ぐカバー部を形成した
ことを特徴とする鉄筋結束機。
【請求項２】
上記カバー部は、断面が上記支軸を中心とする円弧状に形成されていることを特徴とする、請求項１に記載の鉄筋結束機。
【請求項３】
上記カバー部は、上記支軸を中心とする円弧状に代えて、蛇腹状に形成されたことを特徴とする、請求項２に記載の鉄筋結束機。
【請求項４】
上記カバー部は上記下部カールガイドと一体又は別体に形成されたことを特徴とする、請求項１〜３のいずれかに記載の鉄筋結束機。
【発明の詳細な説明】
【技術分野】
【０００１】
本発明は、巻き癖を付けて下方に送り出された結束用ワイヤを受けて再び上方に案内する下部カールガイド上に落下した異物を簡単に排出するようにした鉄筋結束機に関する。
【背景技術】
【０００２】
従来の鉄筋結束機においては、特許文献１、２に示されるように、ワイヤに巻き癖を付けてカールさせるためのカールガイドが上下に配置されている。下部カールガイドは開閉可能に設けられており、そこが開閉することで結束後のワイヤを結束機本体から抜きやすい構造としている。またその開閉構造は安全装置としての機能も有しており、下部カールガイドが開いているときは、メンテナンスのために指や工具が入っているとか、何らかの物が挟み込まれた異常状態であると判断して作動しないようになっている。下部カールガイドの開閉信号を結束機本体に送るため、結束機本体の内部と外部とをつなぐ開口が必要となる。そして、下部カールガイドの検出を行うセンサは埃や衝撃、外乱の影響を避けるため結束機本体内部に配置されており、結束機本体外部から内部にはメカ的に信号を伝えている。そのため、結束機本体の信号伝達部には比較的大きな開口が形成されている。
【先行技術文献】
【特許文献】
【０００３】
【特許文献１】特許第３４９６４６３号公報
【特許文献２】特許第３０５０５１７号公報
【発明の概要】
【発明が解決しようとする課題】
【０００４】
しかしながら、従来の鉄筋結束機では下部カールガイドが閉じているときには、上記開口もカールガイドカバーにより閉鎖されているので、ワイヤ小片のような異物は結束機本体内に進入しにくいが、イニシャライズ時／ねじ切れ時／ワイヤリール終了時等には、切断されたワイヤ小片が下部カールガイドに落ち込むことがあり、下部カールガイドが開くと下部カールガイドとカールガイドカバーとの間に開口が生じるから、結束機本体内部に入りこむことがある。また、下部カールガイドとカールガイドカバーとの間は完全に閉鎖されているわけではなく、小さな隙間が形成されているから、結束機を上方向に向けて実打している時や、かみ込んでしまったワイヤを取り除いているときに、切断されたワイヤ小片が下部カールガイド上をすべり落ちて上記隙間から結束機本体内に入り込むことがある。
【０００５】
このように、ワイヤ片が本体内に入ると、可動部品に噛み込んでしまったり、モータ内に入り込みモータがロックしてしまったり、磁気センサの検出がずれたりする等の問題が発生する可能性があり、鉄筋結束機の作動不良につながってしまう。
【０００６】
本発明は上記問題点を解消し、下部カールガイド上に紛れ込んだワイヤ小片等の異物が結束機本体の内部に進入するのを確実に防止することができる機構を備えた鉄筋結束機を提供することをその課題とする。
【課題を解決するための手段】
【０００７】
上記課題を解決するため、請求項１に係る発明は、ワイヤリールから送られてきた結束用ワイヤに巻き癖を付けて下方に送り出すカールガイドと、上記ワイヤを受けて再び上方のカールガイドに案内する下部カールガイドとを結束機本体の前端から突出して配置するとともに、上記下部カールガイドの基部は、結束機本体の下部に形成された開口部に支軸を介して下方に回動可能に設けられた鉄筋結束機において、上記下部カールガイドと上記開口部の上面との間に、常に上記下部カールガイドの基部と上記開口部の上面部との間の隙間を塞ぐカバー部を形成したことを特徴とする。
【０００８】
請求項２に係る発明は、請求項１において、上記カバー部は、断面が上記支軸を中心とする円弧状に形成されていることを特徴とする。
【０００９】
請求項３に係る発明は、請求項１において、上記カバー部は、上記支軸を中心とする円弧状に代えて、蛇腹状に形成されたことを特徴とする。
【００１０】
請求項４に係る発明は、請求項１〜３のいずれかにおいて、上記カバー部は上記下部カールガイドと一体又は別体に形成されたことを特徴とする。
【発明の効果】
【００１１】
請求項１に係る発明によれば、下部カールガイドの基部は、結束機本体の下部に形成された開口部に支軸を介して下方に回動可能に設けられているとともに、上記下部カールガイドと上記開口部の上面との間には、常に上記下部カールガイドの基部と上記開口部の上面部との間の隙間を塞ぐカバー部を形成したから、カールガイドが回動しているか否かに関係なく、下部カールガイド上に紛れ込んだワイヤ小片等の異物は結束機本体の内部に進入することを確実に防止することができる。
【００１２】
請求項２に係る発明によれば、上記カバー部は、断面が上記支軸を中心とする円弧状に形成されているから、下部カールガイドが回動したとき、カバー部は連続的に下部カールガイドの基部と開口部の上面部との間の隙間を常に塞ぐことができる。
【００１３】
請求項３に係る発明によれば、上記カバー部は蛇腹状に形成されているので、下部カールガイドが回動するにつれて下部カールガイドの基部と開口部の上面部との間の隙間が大きくなったり小さくなったりしても、それに対応して上記隙間を常に塞ぐことができる。
【００１４】
請求項４に係る発明によれば、上記カバー部は上記下部カールガイドと一体又は別体に形成されているので、成形上の問題又は材料の相違等により一体に形成できないときはカバー部と下部カールガイドとを別体にすればよく、一体に成形可能であれば一体に成形してもよく、あるいは別体のもの同士を溶接等によって一体に形成してもよい。
【図面の簡単な説明】
【００１５】
【図１】本発明に係る鉄筋結束機を内部機構とともに示す斜視図
【図２】（ａ）（ｂ）は上記鉄筋結束機の下部カールガイドの待機状態と作動状態の断面図
【図３】上記下部カールガイドの周辺部斜視図
【図４】上記カールガイドの斜視図
【図５】上記カールガイドの分解斜視図
【図６】（ａ）（ｂ）は他の実施形態のカバー部の待機状態と作動状態を示す断面図
【図７】さらに他の実施形態のカバー部の待機状態を示す断面図
【図８】上記実施形態のカバー部の作動状態を示す断面図
【発明を実施するための形態】
【００１６】
図１において符号１は鉄筋結束機を示す。鉄筋結束機１は、結束機本体２に設けられた収納室３に、鉄筋結束用のワイヤ４を巻き付けたワイヤリール（図示せず）を装着し、上記ワイヤリールを回転させながらワイヤ４を結束機本体２の先端に設けられたカールガイド５に送り、該カールガイド５でワイヤ４に巻き癖を付けて鉄筋６のまわりに送り出してその周囲に巻き回した後にワイヤ４の元側を切断するとともに、巻き回した部分を捩って上記鉄筋６を結束するものである。
【００１７】
結束機本体２にはワイヤリールから引き出されたワイヤ４を通す案内管７が設けられている。案内管７の一端は収納室３に開口し、他端は後述のカールガイド5の基部に開口している。案内管７の中途部には、ワイヤ４の送り手段として１対の送りギア（図示せず）が配設されている。ワイヤ４は送りギアに挟まれ、その回転によって送り出されるようになっている。
【００１８】
トリガ８によってスイッチがＯＮすると、電動モータが回転してワイヤ送りギアが回転する。そして、ワイヤ送りギアの回転により、収納室内に収納されたワイヤリールに巻かれているワイヤ４が案内管７を通じて結束機本体２の前方に送られる。
【００１９】
結束機本体２の前端には、ワイヤリールから送られてきたワイヤ４に巻き癖を付けて下方に送り出す上記カールガイド５と、カールガイド５によって送られたワイヤ４を再び上方のカールガイド５の所定位置に戻るように案内する下部カールガイド１０とが突出して配置されている。カールガイド５の先端は、円弧状に湾曲しており、ここで巻き癖を付けて下部カールガイド１０との間で鉄筋６の回りにループ状に周回させて巻き回すようになっている。
【００２０】
また、カールガイド５には、ワイヤ切断手段（図示せず）が配設されている。ワイヤ切断手段は、ワイヤ４の送り量が所定量に達すると、ワイヤを切断するように構成されている。
【００２１】
結束機本体２の内部には、先端部に捩り用フック１２を設けたワイヤ捩り装置１１が配設されている。
【００２２】
ワイヤ捩り装置１１は、フック１２を開閉自在に枢着したスリーブ１３を電動モータ９により前進移動させてフック１２を閉じ作動させることにより、鉄筋６のまわりにループ状に巻き回されたワイヤ４を把持した後、スリーブ１３とともにフック１２を回転させてワイヤ４を捩って鉄筋６を結束し、その後フック１２を逆回転させるとともにスリーブ１３を後退移動させてワイヤ４から離脱させて初期位置に戻すようにしたものである。ワイヤ４の捩りは上記スリーブ１３の前進移動に伴ってワイヤ４の切断後に行われる。
【００２３】
なお、上記送りギアの回転、ワイヤ４の切断、ワイヤ捩り装置１１の作動等は図示しない制御回路によってシーケンス制御されている。また、制御回路は、送りギアの回転量にもとづいてワイヤ４の送り量も測定している。
【００２４】
ところで、下部カールガイド１０は、図２（ａ）（ｂ）及び図３に詳しく示されるように、メンテナンスなどの作業を行いやすいように、作業結束機本体の下部に形成された開口部１４に支軸１５を介して下方に回動可能に設けられている。
【００２５】
開口部１４は、結束機本体の下部を構成する前面壁１７の中央部に開口形成され、その上面部１６は、断面が円弧状に形成された凹面部１８と凹面部１８の後部に形成された三角溝状の凹部２０とから構成されている。開口部１４の下部は、上記前面壁１７の下部を構成する起立壁２１によって形成されている。
【００２６】
下部カールガイド１０の前部には、図４及び図５に示されるように、前端が幅広になるように形成された案内溝２２が形成され、後部には板状部２３が形成されている。板状部２３には、案内溝２２の基部両側にはワイヤ４が左右にばらけないように案内する案内部材２４が立ち上げ形成され、板状部２３の両側には起立縁２５が形成され、起立縁２５の先端は案内部材２４と一体となり、起立縁２５の基部２５ａは円弧状に形成され、その中心部には軸受孔２６が形成されている。一方の起立縁２５の後方には当接片３３が延長形成されている。
【００２７】
下部カールガイド１０の基部の上部にはカバー部２７が配置されている。このカバー部２７は、断面が円弧状のカバー本体２８とカバー本体２８の前端下部から垂下形成された下壁片３０と下壁片３０の両側端から後方に折り曲げられた側片３１とから構成されている。カバー本体２８の後端にはバネ受け溝２９が形成され、側片３１には軸受孔３２が形成されている。なお、上記カバー本体２８の円弧の中心部は軸受孔３２の中心となるように形成されている。
【００２８】
上記カバー部２７はねじりコイルバネ３４とともに下部カールガイド１０の板状部２３上に配置され、両方の軸受孔２６、３２に挿通された支軸１５によって連結されている。また、側片３１と当接片３３とは板状部２３上に当接している。したがって、図２（ａ）（ｂ）に示されるように、カバー部２７は常時下部カールガイド１０と一体となって回動する。
【００２９】
ところで、上記支軸１５は結束機本体の開口部１４の内部両側に設けられた軸受部（図示せず）に回転自在に支持され、ねじりコイルバネ３４の一端３４ａはカバー部２７のバネ受け溝２９から突出して開口部１４の上面部１６の凹部２０に係合している。他端３４ｂは板状部２３上に係合している。これにより、下部カールガイド１０は先端側が上方向に回動するように付勢されるが、例えば、板状部２３の後部端面が開口部１４の下部に当るので、その位置で静止し、ねじりコイルバネ３４のバネ力に抗して下部カールガイド１０を下方に回動させることができる。
【００３０】
上記構成によれば、カバー部２７は常に下部カールガイド１０の基部と上記開口部１４の上面部１６との間の隙間を塞いでいる。そして、何らかの原因で下部カールガイド１０を下方に回動させると、図２（ｂ）のようにカバー部２７も同時に回動する。カバー本体２８は断面が円弧状に形成されているから、上面部１６と開口部１４との間の隙間は塞がった状態がそのまま継続する。したがって、下部カールガイド１０の回動の前後にわたって常に上記隙間は塞がれているから、下部カールガイド１０上に紛れ込んだワイヤ小片等の異物３５が結束機本体の内部に進入するのを確実に防止することができる。
【００３１】
なお、カバー部２７は下部カールガイド１０の回動の前後にわたって常に上記隙間を塞ぐ構成であればよい。したがって、上述の形態に限定されない。例えば、図６（ａ）（ｂ）に示されるように、カバー部２７を蛇腹状に構成してもよい。
【００３２】
この場合も、下部カールガイド１０を下方に回動させると、カバー部２７は伸縮作動する。したがって、下部カールガイド１０が回動するにつれて下部カールガイド１０の基部の板状部２３と開口部１４の上面部１６との間の隙間が大きくなったり小さくなったりしても、それに対応して上記隙間を常に塞ぐことができる。
【００３３】
また、図７、図８に示されるように、カバー部２７のカバー本体２８を弾性材から構成し、その前半部を断面が円弧状の湾曲部２８ａとし、後半部を可撓性を有する波形部２８ｂとして構成するようにしてもよい。この場合も、下部カールガイド１０が回動するにつれて下部カールガイド１０の基部の板状部２３と開口部１４の上面部１６との間の隙間が大きくなったり小さくなったりしても、それに対応して上記隙間を常に塞ぐことができる。
【００３４】
さらに、カバー部は上述の実施形態のように下部カールガイドと別体に形成する必要はない。可能であれば、両者を一体に形成し、あるいは両者を別体として溶接等によって一体に形成してもよい。
【符号の説明】
【００３５】
２    結束機本体
５    カールガイド
１０  下部カールガイド
３３  当接片
１４  開口部
１５  支軸
１６  上面部
２７  カバー部
【図１】
2010265581.tif 000003
【図２】
2010265581.tif 000004
【図３】
2010265581.tif 000005
【図４】
2010265581.tif 000006
【図５】
2010265581.tif 000007
【図６】
2010265581.tif 000008
【図７】
2010265581.tif 000009
【図８】
2010265581.tif 000010